(57)【要約】      （修正有）【課題】灯油を安全に保管・運搬できるキャスター付ポリ容器並びにポリ容器運搬キャスターを提供する。【解決手段】ポリタンク容器１の一側面に配置された伸縮取っ手収納板１１と、当該伸縮取っ手収納板が配置された側の容器底部に配置される２つの断面コの字形のキャスター突起７と、前記各々のキャスター突起のコの字の間にキャスター軸で回転可能に支承されるキャスター６と、前記伸縮取っ手収納板が配置される反対側の容器底部に配置される脚突起とを備える。さらに、前記伸縮取っ手収納板に配置され、その上端が前記容器の持ち上げ取っ手３の間隙底部よりは低く、かつ、前記持ち上げ取っ手の両端位置に配置される取っ手収納筒１２と、前記取っ手収納筒に収納される二段階伸縮が可能な伸縮ストッパーを備える伸縮取っ手１０と、前記取っ手収納筒のそれぞれの背面に配置される階段昇降の際に階段段差角に当接する複数の階段昇降用コロ１４ａ〜１４ｊと、からなる。【選択図】図１
0003167733.tif 000002
【実用新案登録請求の範囲】
【請求項１】
ＪＩＳ規格ポリタンク等の容器の一側面に配置された伸縮取っ手収納板と、
当該伸縮取っ手収納板が配置された側の容器底部に配置される２つの断面コの字形のキャスター突起と、
前記各々のキャスター突起のコの字の間にキャスター軸で回転可能に支承されるキャスターと、
前記伸縮取っ手収納板が配置される反対側の容器底部に配置される脚突起と、
前記伸縮取っ手収納板に配置され、その上端が前記容器の持ち上げ取っ手の間隙底部よりは低く、かつ、前記持ち上げ取っ手の両端位置に配置される取っ手収納筒と、
前記取っ手収納筒に収納される二段階伸縮が可能な伸縮ストッパーを備える伸縮取っ手と、
前記取っ手収納筒のそれぞれの背面に配置される階段昇降の際に階段段差角に当接する複数の階段昇降用コロと、
からなることを特徴とする灯油運搬キャスター付きポリ容器。
【請求項２】
前記灯油運搬キャスター付きポリ容器の側部には、ロック機構を有する密閉蓋付きの灯油ポンプ収納筒が配置されることを特徴とする請求項１に記載の灯油運搬キャスター付きポリ容器。
【請求項３】
前記階段昇降用コロのうち、それぞれ最上位に位置する階段昇降用と最下位に位置する階段昇降用コロの間をそれぞれ回動可能なベルトを掛け渡したことを特徴とする請求項１に記載の灯油運搬キャスター付きポリ容器。
【請求項４】
ＪＩＳ規格ポリタンク等の容器が収容されるタンク収納ケースと、
当該タンク収納ケースの背面部に配置された伸縮取っ手収納板と、
前記タンク収納ケースの収納ケース底部の背部側に配置される２つの断面コの字形のキャスター突起と、
前記各々のキャスター突起のコの字の間にキャスター軸で回転可能に支承されるキャスターと、
前記伸縮取っ手収納板が配置される反対側のタンク収納ケース底部の前面側にに配置される脚突起と、
前記伸縮取っ手収納板に配置され、前記容器を前記タンク収納ケースに収納した際に、その上端が前記容器の持ち上げ取っ手の間隙底部よりは低く、かつ、前記持ち上げ取っ手の両端位置に配置される取っ手収納筒と、
前記取っ手収納筒に収納される二段階伸縮が可能な伸縮ストッパーを備える伸縮取っ手とからなり、
前記収納ケース底部の上部外周を覆う底部収納ベルトと、
当該底部収納ベルトから上方の上部収納ベルト位置まで延びる内部に屈曲するばね構造の４本の側部収納ベルトと、
前記上部収納ベルトには、一端が前記伸縮取っ手収納板側に固定され、他端が前記タンク収納ケースに前記ポリ容器が収納された際にその容器の持ち上げ取っ手の間隙の間を通して反対側の前記上部収納ベルトに係合される所定長の支持ベルトを備え、さらに、前記タンク収納ケースの一方の側部の前記上部収納ベルトと下部受容部との間に設けられる中空の断面Ｕ字状の密閉蓋付きポンプ収納部と、及び／又は、前記上部収納ベルトの他方の側部外側に設けられる所定長さの筒からなる中空の断面Ｕ字状の密閉蓋付きノズル収容部とを備えたことを特徴とするポリ容器運搬キャスター。
【請求項５】
前記タンク収納ケースは、その側面を覆いシートで覆ったことを特徴とする請求項４に記載のポリ容器運搬キャスター。
【請求項６】
前記タンク収納ケースは、前記上部収納ベルトの前半分が切り取られた形状で、かつ、その切り取り端部に前記側部収納ベルトのうちの少なくとも２本が取り付けられたことを特徴とする前記請求項４に記載のポリ容器運搬キャスター。
【考案の詳細な説明】
【技術分野】
【０００１】
本考案は、ＪＩＳ等の規格品のポリタンクをそのまま使用して、灯油を保管、運搬するキャスター付きポリ容器又はポリ容器運搬キャスターに関する。
【背景技術】
【０００２】
灯油や飲料水を入れて保管・運搬する容器としてポリ容器がある。これらのポリ容器は、１８リットルサイズや２０リットルサイズのものが市販される。例えば、１８リットルサイズのポリ容器に灯油を満たした場合には、約１５Ｋｇの重量となり、運搬に際し，大きな労力を要する。
【０００３】
この種のポリ容器の運搬を容易にするものとして、例えば、特開２００４-２６２９５号公報に開示のものが知られている。同公報に開示ものは、発明名称「移動用ポリタンク」に係り、「楽に持ち運びが出来ると同時に、簡単に最後まで内容物を使い切ることが出来るポリタンクを提供する」を目的として(同公報明細書段落番号０００４参照)とするものであり、図１０は、同公報に貼付図１として開示される移動用ポリタンクの立面図である。
【０００４】
図１０において、符号１０１は、移動用取っ手、１０２は、移動用ポリタンク、１０３は、キャスター（移動用の車）、１０４は、底部、１０５は、給入口（給出口）、１０６は、給入口（給出口）、１０７は、給入・出ポンプのフレ止、１０８は、取っ手である。
上記特開２００４-２６２９５号公報に開示の「移動用ポリタンク」は、ポリタンクに「移動用取っ手、キャスターを設ける」ことにより(同公報特許請求の範囲の請求項１に記載参照）、「誰にでも簡単に移動することが出来る」等の効果を奏するものである(同公報明細書段落番号００１１参照）。
【０００５】
しかしながら、ここに示されるポリタンク１０２は、単に液体輸送用のタンクをポリエチレン製とし、さらに車輪、伸縮取っ手を付けたというだけのものであり、ＪＩＳ等の規格に合致するポリタンクを利用するものではない。ご承知のように、灯油等を安全に保管・運搬に適するポリ容器については、ＪＩＳ規格ＪＩＳＺ１７１０に適合しなければならず、単に角張った容器に車輪を付けただけでは適合しない。また、単に角張った容器に車輪、伸縮取っ手を付けただけでは、運搬の際の操作や、灯油等を注入、抽出する作業性に問題がある。
【０００６】
すなわち、灯油等を持ち運び、実際に灯油を灯油ストーブ等のタンクに注入する際には、ポンプ等を利用して、注入口等から引き出す必要があり、時としては、注入口にそのまま注ぎノズルを取り付け、同ノズルを灯油ストーブ等のタンク注入口に挿入し、ポリ容器を持ち上げ、灯油ストーブのタンクに灯油を注ぎ込む必要さえある。このため、通常のポリ容器がそうであるように、持ち上げに際する持ち上げ取っ手も必要である。
【先行技術文献】
【特許文献】
【０００７】
【特許文献１】特開２００４-２６２９５号公報
【考案の概要】
【考案が解決しようとする課題】
【０００８】
そこで、本願考案者は、ＪＩＳ等の規格品のポリタンクをそのまま使用して、灯油を安全に保管・運搬できと共に、灯油を持ち上げ注入する際にも容易に注入できる灯油運搬キャスターポリ容器並びにポリ容器運搬キャスターを提供することを目的とする。  
【課題を解決するための手段】
【０００９】
上記の目的を達成するために、本願請求項１に係る考案は、ＪＩＳ規格ポリタンク等の容器の一側面に配置された伸縮取っ手収納板と、当該伸縮取っ手収納板が配置された側の容器底部に配置される２つの断面コの字形のキャスター突起と、前記各々のキャスター突起のコの字の間にキャスター軸で回転可能に支承されるキャスターと、前記伸縮取っ手収納板が配置される反対側の容器底部に配置される脚突起と、前記伸縮取っ手収納板に配置され、その上端が前記容器の持ち上げ取っ手の間隙底部よりは低く、かつ、前記持ち上げ取っ手の両端位置に配置される取っ手収納筒と、前記取っ手収納筒に収納される二段階伸縮が可能な伸縮ストッパーを備える伸縮取っ手と、前記取っ手収納筒のそれぞれの背面に配置される階段昇降の際に階段段差角に当接する複数の階段昇降用コロと、からなることを特徴とする。
また、本願請求項２に係る考案は、前記請求項１に係る灯油運搬キャスター付きポリ容器において、前記灯油運搬キャスター付きポリ容器の側部には、ロック機構を有する密閉蓋付きの灯油ポンプ収納筒が配置されることを特徴とする。
さらに、本願請求項３に係る考案は、前記請求項１に係る灯油運搬キャスター付きポリ容器において、前記階段昇降用コロのうち、それぞれ最上位に位置する階段昇降用と最下位に位置する階段昇降用コロの間をそれぞれ回動可能なベルトを掛け渡したことを特徴とする。
そして、本願請求項４に係る考案は、ポリ容器運搬キャスターにおいて、ＪＩＳ規格ポリタンク等の容器が収容されるタンク収納ケースと、当該タンク収納ケースの背面部に配置された伸縮取っ手収納板と、前記タンク収納ケースの収納ケース底部の背部側に配置される２つの断面コの字形のキャスター突起と、前記各々のキャスター突起のコの字の間にキャスター軸で回転可能に支承されるキャスターと、前記伸縮取っ手収納板が配置される反対側のタンク収納ケース底部の前面側にに配置される脚突起と、前記伸縮取っ手収納板に配置され、前記容器を前記タンク収納ケースに収納した際に、その上端が前記容器の持ち上げ取っ手の間隙底部よりは低く、かつ、前記持ち上げ取っ手の両端位置に配置される取っ手収納筒と、前記取っ手収納筒に収納される二段階伸縮が可能な伸縮ストッパーを備える伸縮取っ手とからなり、前記収納ケース底部の上部外周を覆う底部収納ベルトと、当該底部収納ベルトから上方の上部収納ベルト位置まで延びる内部に屈曲するばね構造の４本の側部収納ベルトと、前記上部収納ベルトには、一端が前記伸縮取っ手収納板側に固定され、他端が前記タンク収納ケースに前記ポリ容器が収納された際にその容器の持ち上げ取っ手の間隙の間を通して反対側の前記上部収納ベルトに係合される所定長の支持ベルトを備え、さらに、前記タンク収納ケースの一方の側部の前記上部収納ベルトと下部受容部との間に設けられる中空の断面Ｕ字状の密閉蓋付きポンプ収納部と、及び／又は、前記上部収納ベルトの他方の側部外側に設けられる所定長さの筒からなる中空の断面Ｕ字状の密閉蓋付きノズル収容部とを備えたことを特徴とする。
また、本願請求項５に係る考案は、前記請求項４に係るポリ容器運搬キャスターにおいて、前記タンク収納ケースは、その側面を覆いシートで覆ったことを特徴とする。
さらに、本願請求項６に係る考案は、前記請求項４に係るポリ容器運搬キャスターにおいて、前記タンク収納ケースは、前記上部収納ベルトの前半分が切り取られた形状で、かつ、その切り取り端部に前記側部収納ベルトのうちの少なくとも２本が取り付けられたことを特徴とする。
【考案の効果】
【００１０】
本願考案は、上記の構成としたので、ＪＩＳ等の規格品のポリタンクをそのまま使用して、灯油を安全に保管・運搬できと共に、灯油を持ち上げ注入する際にも容易に注入できる
【図面の簡単な説明】
【００１１】
【図１】図１は、実施例１に係る灯油運搬キャスター付きポリ容器１の概略図、
【図２】図２は、本実施例１に係る灯油運搬キャスター付きポリ容器１を背面下部から見た図、
【図３】図３は、前記伸縮取っ手１０の伸張して、前記キャスター６、６により、本実施例１に係る灯油運搬キャスター付きポリ容器１を動かす状況を示す図、
【図４】図４は、運搬された灯油を灯油ストーブ１６のタンク１７ａに供給する状態を示す図、
【図５】図５は、本実施例１に係る灯油運搬キャスター付きポリ容器１の最上位に位置する階段昇降用コロ１４ａ、１４ｆと、同最下位に位置する階段昇降用コロ１４ｅ、１４ｊの間にそれぞれベルト１８、１８を掛け渡した変形実施例１の概略を示す図、
【図６】図６は、本実施例２に係るポリ容器運搬キャスター２０の概略を示す概略図、
【図７】図７は、本実施例２に係るポリ容器運搬キャスター２０において、２０リットル規格のポリタンクの他、１８リットル規格のポリタンクも収容できることを示す概略断面図、
【図８】図８は、本実施例３に係るポリ容器運搬キャスター４０概略を示す図、
【図９】図９は、本実施例２に係るポリ容器運搬キャスター５０の概略を示す概略図、
【図１０】図１０は、特開２００４-２６２９５号公報に貼付図１として開示される従来の移動用ポリタンクの立面図である。
【考案を実施するための形態】
【００１２】
本考案に係る灯油運搬キャスター付きポリ容器を実施するための最良の形態としての一実施例を図面に基づき詳細に説明する。
【実施例１】
【００１３】
図１、図２は、本考案に係る灯油運搬キャスター付きポリ容器を実施するための形態の一実施例である灯油運搬キャスター付きポリ容器の実施例１を示す図であり、そのうち、図１は、実施例１に係る灯油運搬キャスター付きポリ容器１の概略図であり、図２は、本実施例１に係る灯油運搬キャスター付きポリ容器１を背面下部から見た図である。図１、図２においては、符号１は、本実施例１に係る灯油運搬キャスター付きポリ容器、２は、タンク、３は、持ち上げ取っ手、４、５は、注入口、６、６は、キャスター、７、７は、キャスター突起、８、８は、キャスター軸、９、９は、脚突起、１０は、伸縮取っ手、１１は、伸縮取っ手収納板、１２、１２は、取っ手収納筒、１３は、伸縮ストッパー２３ａは、ポンプ収納筒、２３ｂは、同蓋、１４ａ〜１４ｊは、階段昇降用コロである。
【００１４】
まず、１８リットルサイズのポリ容器について説明すると、１８リットルサイズのポリ容器は、タテ３５ｃｍ、ヨコ３５ｃｍ、最大高さ３７ｃｍで、取っ手間隙までの実質的高さが３５ｃｍ程度の大きさのものであり、本実施例１に係る灯油運搬キャスター付きポリ容器１は、図１、図２から明らかなように、タンク２の一方の側面に前記伸縮取っ手収納板１１が配置され、当該伸縮取っ手収納板１１が配置された側のタンク２の底部両サイドに断面コの字形の前記キャスター突起７、７が設けられ、該キャスター突起７、７のコの字の間には前記キャスター６、６が、前記キャスター軸８、８で回転可能に支承される。
【００１５】
また、前記伸縮取っ手収納板１１は、前記タンク２の取っ手間隙の実質的高さよりは低く、かつ、前記持ち上げ取っ手の両端位置に前記取っ手収納筒１２、１２が配置される。すなわち、前記伸縮取っ手１０を前記取っ手収納筒１２、１２内に収納されてしまうと、その高さは、前記タンク２の取っ手間隙の実質的高さを越えることはない。したがって、タンク２を持ち上げて灯油等の注ぐ必要がある場合にも、必要以上の突出部がなく、灯油等の注入に支障をきたさない。
【００１６】
また、前記伸縮取っ手１０は、必要な時には、前記伸縮取っ手収納筒１２、１２から引き出して使用する．このとき、伸縮は、二段階の伸縮が可能であって、引き出しを中途の所定位置で止めることができ、最終高さ(約７５ｃｍ程度）まで伸張させる場合には、前記中途位置で前記伸縮ストッパー１５を押して伸縮を解除して伸張させる。
また、前記取っ手収納筒１２、１２の背面には、前記階段昇降用コロ１４ａ〜１４ｊが配置され、駅構内等の階段のある場所での移動は、当該コロ１４ａ〜１４ｊを階段の角に当接させて、階段の昇降を楽にする。
さらに、本実施例１に係る灯油運搬キャスター付きポリ容器１の側部には、前記ポンプ収納筒２３ａが配置され、ポリ容器１内の灯油等を石油ストーブのタンク(図示外)等に注入する際のポンプを収納しておく。そして、当該ポンプ収納筒２３ａには、蓋２３ｂが配置され、ロック機構(図示外)を有し、臭い等を完全に遮断する密閉を維持する構成からなる。
【００１７】
また、図３は、前記伸縮取っ手１０の伸張して、前記キャスター６、６により、本実施例１に係る灯油運搬キャスター付きポリ容器１を動かす状況を示す図である。
図３から明らかなように、本実施例１に係る灯油運搬キャスター付きポリ容器１は、前記キャスター６、６により転がり，容易に移動・運搬できる。
【００１８】
図４は、運搬された灯油を灯油ストーブ１６のタンク１７ａに供給する状態を示す図であり、図４において、４ｂは、本実施例１に係る灯油運搬キャスター付きポリ容器１の前記注入口４の蓋、１４ｆ〜１４ｊは、前記階段昇降用コロ、１６は、灯油ストーブ、１７ａは、同タンク、１７ｂは、同タンク蓋、２２は、灯油ポンプである。その余の符号は、上述する図１、図２で使用した符号と同じ部材を示す。本実施例１に係る灯油運搬キャスター付きポリ容器１に灯油等を入れて運搬してきたら、図４に示すように、前記ポリ容器１の前記注入口４から蓋４ｂを取り外し、前記ポンプ収納筒２３ａからポンプ２２を取り出し、当該注入口４に取り付け、ポンプ排出管を前記灯油ストーブ１６のタンク１７ａに給油する。
【００１９】
なお、本実施例１に係る灯油運搬キャスター付きポリ容器１では、前記取っ手収納筒１２、１２の背面に、前記階段昇降用コロ１４ａ〜１４ｊを配置し、階段での移動に際し、前記階段昇降用コロ１４ａ〜１４ｊを階段の角に当接させて階段の昇降を容易にするようにしたが、これは、図５に示すように、当該階段昇降用コロ１４ａ〜１４ｊのうち、それぞれ最上位に位置する階段昇降用コロ１４ａ、１４ｆと、同最下位に位置する階段昇降用コロ１４ｅ、１４ｊの間をそれぞれ回動可能なベルト１８、１８を掛け渡し、階段昇降の際には、当該ベルト１８、１８が、階段の段差角に当接し、階段昇降が一層容易となるようにしても良い。図５においても、図１ないし図４で示した部材については、同じ部材は同じ符号で示した。
【実施例２】
【００２０】
次にポリ容器を載置して運搬に容易なポリ容器運搬キャスターについて図面に基づいて説明する。
図６は、本実施例２に係るポリ容器運搬キャスター２０の概略を示す概略図である。図６において、符号２０は、本実施例２に係るポリ容器運搬キャスター、２１は、２０リットルのポリタンクが収納されるタンク収納ケース、２２ａは、灯油ポンプ、２２ｂは、同灯油ポンプ２２ａの伸縮可能な吸引管、２３ａは、前記ポンプ収納部、２３ｂは、同蓋、２４は、注入ノズル、２５ａは、ノズル収納部、２５ｂは、同蓋、２６、２６は、キャスター、２７、２７は、キャスター突起、２８、２８は、キャスター軸、２９、２９は、脚突起、３０は、伸縮取っ手、３１は、伸縮取っ手収納板、３２、３２は、取っ手収納筒、３３は、伸縮ストッパー、３４は、支持ベルトである。
【００２１】
また、前記タンク収納ケース２１の収納ケース底部２１ｇには、前記キャスター２６、２６と前記脚突起２９、２９が設けられ、前記収納ケース底部２１ｇの上部外周を底部収納ベルト２１ａで覆われ、当該底部収納ベルト２１ａから上方に４本の側部収納ベルト２１ｃ、２１ｄ、２１ｅ、２１ｆが上部収納ベルト２１ｂ位置まで延びる構造となっており、かつ、各側部収納ベルト２１ｃ、２１ｄ、２１ｅ、２１ｆは、内部に屈曲するばね構造のものである。したがって、規格のポリ容器を収納する場合には、このばね構造の各側部収納ベルト２１ｃ、２１ｄ、２１ｅ、２１ｆを押し拡げて内側に規格のポリ容器を収納し、ポリ容器の四隅で捕捉する構造となっている。
【００２２】
また、前記タンク収納ケース２１の前記上部収納ベルト２１ｂと前記底部収納ベルト２１ａとの間には、中空の断面Ｕ字状の前記ポンプ収納部２３ｚが設けられ、上述同様、使用後の前記灯油ポンプ２２に付着した灯油がしたたり落ちるのを受け、また、当該ポンプ収納部２３ａのロック機構を有する蓋２３ｂを閉じると密閉構造が維持され、臭いが外部に漏れない構造となっている。なお、前記灯油ポンプ２２ａの伸縮可能な吸引管２２ｂは、二段階に伸縮可能な吸引管２２ｂであり、最大に伸びた箇所で係止する係止機構を備えたものである。
【００２３】
さらに、前記ノズル収容部２５ａは、前記タンク収納ケース２１の前記上部収納ベルト２１ｂに設けられる所定長さの筒からなり、前記注入ノズル２４を図示外注入口４、５に取り付け灯油ストーブ(図示外)等に給油の後、当該注入ノズル２４をこのノズル収容部２５ａに収容する。そして、使用後の前記注入ノズル２４に付着した灯油が外部に漏れ出さないような構造となっており、また、上述同様、当該ノズル収容部２５ａにも密閉を維持するロック機構を有する蓋２５ｂが設けられている。
【００２４】
これに加え、本実施例２に係るポリ容器運搬キャスター２０の前記タンク収納ケース２１の上部収納ベルト２１ｂには、前記伸縮取っ手収納板３１側に所定長の支持ベルト３４が取り付けられ、前記タンク収納ケース２１にＪＩＳ等の規格のポリ容器が収納された際には、その容器の持ち上げ取っ手の間隙の間を通して反対側の前記上部収納ベルト２１ｂに係合して、前記ポリ容器を固縛するようにする。
【００２５】
そして、本実施例２に係るポリ容器運搬キャスター２０には、上記実施例１に係る油運搬キャスター付きポリ容器１と同様に、その背部には伸縮取っ手収納板３１が配置され、当該伸縮取っ手収納板３１の底部近傍両サイドには断面コの字形のキャスター突起２７、２７が設けられ、該キャスター突起２７、２７のコの字の間にはキャスター２６、２６がキャスター軸２８で回転可能に支承され、また、伸縮取っ手３０は、必要な時には、伸縮取っ手収納筒３２、３２から引き出して使用し、伸縮に際しては、二段階伸縮可能で、中途位置で伸縮ストッパー３３を押して伸縮を解除して伸張させる等は上記実施例１に係る油運搬キャスター付きポリ容器１と同じ構造を有する。
【００２６】
また、本実施例２に係るポリ容器運搬キャスター２０も上記実施例１に係る油運搬キャスター付きポリ容器１と同様に、前記取っ手収納筒１２、１２の背面には、前記階段昇降用コロ１４ａ〜１４ｊが配置され、階段での移動に際し、当該コロ１４ａ〜１４ｊを階段の角に当接させて、階段での昇降を容易にする等同じ構造を有する。
【００２７】
図７は、２０リットルのポリタンクが収納されるタンク収納ケース２１を備える本実施例２に係るポリ容器運搬キャスター２０において、２０リットル規格のポリタンクの他、１８リットル規格のポリタンクも収容できることを示す概略断面図である。図７から明らかなように、１８リットル用の規格ポリタンクを収容する際にも、前記内部に屈曲するばね構造の各側部収納ベルト２１ｃ、２１ｄ、２１ｅ、２１ｆが内部まで深く屈曲し、１８リットル規格のポリタンクを外部から充分に捕捉する。
【実施例３】
【００２８】
次に、本実施例２に係るポリ容器運搬キャスター２０の前記２０リットルのポリタンクが収納されるタンク収納ケース２１の周囲を覆いシートで覆った実施例３に係るポリ容器運搬キャスター４０について図面に基づいて説明する。
図８は、本実施例３に係るポリ容器運搬キャスター４０概略を示す図である。図８において、符号４０は、本実施例３に係るポリ容器運搬キャスター、４１は、前記実施例２に係るポリ容器運搬キャスター２０のポリタンクが収納される前記タンク収納ケース２１の側面を覆う覆いシートであり、その余の部材は上記実施例２に係るポリ容器運搬キャスター２０の各部と同じ部材は同じ符号で示したものである。
【００２９】
本実施例３に係るポリ容器運搬キャスター４０は、前記タンク収納ケース２１を覆いシート４１で覆うようにしたので、運搬移動の際に，あるいは、灯油等の給油の際に、誤って容器から溢れさせてしまった場合などにも、収納ケース２１外に溢れ出ることがなく、安全で，かつ、周囲を汚染させることがない。
【００３０】
なお、当該収納ケース２１の内部には、上記実施例２に係るポリ容器運搬キャスター２０と同様に、内部には、内部に屈曲するばね構造の側部収納ベルト２１ｃ、２１ｄ、２１ｅ、２１ｆが配置され、上記同様、規格のポリ容器を収納する場合には、このばね構造の各側部収納ベルト２１ｃ、２１ｄ、２１ｅ、２１ｆを押し拡げて内側に規格のポリ容器を収納し、ポリ容器の四隅で捕捉することはもちろん、前記同様、小さなサイズの１８リットルサイズのポリタンクを収容した場合には、しっかりと捕捉する構造となっている。その余の背部に伸縮取っ手収納板３１が配置され、当該伸縮取っ手収納板３１の底部両サイドに断面コの字形のキャスター突起２７、２７が設けられ、該キャスター突起２７、２７のコの字の間にはキャスター２６、２６がキャスター軸２８で回転可能に支承され、また、伸縮取っ手３０は、必要な時には、伸縮取っ手収納筒３２、３２から引き出して使用し、伸縮に際しては、二段階伸縮可能で、中途位置で伸縮ストッパー３３を押して伸縮を解除して伸張させる等は、上記実施例１に係る油運搬キャスター付きポリ容器１又は上記実施例２に係るポリ容器運搬キャスター２０と同じ構造を有し、同じように機能する点で同じである。
【実施例４】
【００３１】
本実施例２に係るポリ容器運搬キャスター２０の変形として、実施例４に係るポリ容器運搬キャスター５０について図面に基づいて説明する。
図９は、本実施例２に係るポリ容器運搬キャスター５０の概略を示す概略図である。図９において、符号５０は、本実施例４に係るポリ容器運搬キャスターであり、実施例２に係るポリ容器運搬キャスター２０のタンク収容ケース２１を前半分を取り除いたものである。すなわち、本実施例４に係るポリ容器運搬キャスター５０は、底部に前記キャスター２６、２６と前記脚突起２９、２９が設けられ、その上部外周を底部収納ベルト２１ａで覆う点や、当該底部収納ベルト２１ａから上方に４本の側部収納ベルト２１ｃ、２１ｄ、２１ｅ、２１ｆが上部収納ベルト２１ｂ位置まで延びる構造となっている点では同じであるが、本実施例４に係るポリ容器運搬キャスター５０の側部収納ベルト２１ｃ、２１ｄ、２１ｅ、２１ｆのうちの側部収納ベルト２１ｃ、２１ｆの取り付け位置が異なる。
【００３２】
また、本実施例４に係るポリ容器運搬キャスター５０の前記収納ケース２１の前記上部収納ベルト２１ｂは、前半分を切り取った形状のものであり、したがって、前記側部収納ベルト２１ｃ、２１ｆは、前半分を切り取った前記上部収納ベルト２１ｂの端部に取り付けられる。その余の構成は、例えば、前記各側部収納ベルト２１ｃ、２１ｄ、２１ｅ、２１ｆは、内部に屈曲するばね構造のものである等、上記実施例２に係るポリ容器運搬キャスター２０と同じであり、また、伸縮取っ手３０、伸縮取っ手収納板３１、取っ手収納筒３２、３２、伸縮ストッパー３３を有する等は、上記実施例２に係るポリ容器運搬キャスター２０と同じである。
【００３３】
しかしながら、前記上部収納ベルト２１ｂは、実施例２に係るポリ容器運搬キャスター２０に比し、前半分を切り取った形状のものであるので、支持ベルト３４ａは、前記底部収納ベルト２１ａまで達する程度の長さのものを使用し、両端の係止部３４ｂ、３４ｃが図示外係止部にそれぞれ係合して当該支持ベルト３４ａを固定する。
本実施例４に係るポリ容器運搬キャスター５０の前記収納ケース２１の前記上部収納ベルト２１ｂについて、前半分を切り取った形状のものとしたので、ポリタンクの当該運搬キャスター５０に載置する際に前記上部収納ベルト２１ｂの位置まで持ち上げる必要がなくなり、運搬し易いものである。
【産業上の利用可能性】
【００３４】
本願考案は、灯油、清水等の運搬に利用する。
【符号の説明】
【００３５】
１ ポリ容器
２ タンク
４ 注入口
６、２６ キャスター
７、２７ キャスター突起
８、２８ キャスター軸
１０、３０ 取っ手
１１、３１ 取っ手収納板
１２、３２ 取っ手収納筒
１５、３３ 伸縮ストッパー
２０、４０、５０ ポリ容器運搬キャスター
２１ タンク収容ケース
２１ａ 底部収納ベルト
２１ｂ 上部収納ベルト
２１ｃ〜２１ｆ 側部収納ベルト
２１ｇ 収納ケース底部
２２ａ 灯油ポンプ
２２ｂ 蓋
２３ａ ポンプ収納部
２３ｂ 蓋
２４ 注入ノズル
２５ａ ノズル収容部
２５ｂ 蓋
３４ａ 支持ベルト
３４ｂ、３４ｃ 係止部
４１ 覆いシート
１０１ 移動用取っ手
１０２ 移動用ポリタンク
１０３ キャスター（移動用の車）
１０４ 底部
１０５ 給入口（給出口）
１０６ 給入口（給出口）
１０７ 給入・出ポンプのフレ止
１０８ 取っ手
【図１】
0003167733.tif 000003
【図２】
0003167733.tif 000004
【図３】
0003167733.tif 000005
【図４】
0003167733.tif 000006
【図５】
0003167733.tif 000007
【図６】
0003167733.tif 000008
【図７】
0003167733.tif 000009
【図８】
0003167733.tif 000010
【図９】
0003167733.tif 000011
【図１０】
0003167733.tif 000012